【手続補正書】
【提出日】平成21年11月16日(2009.11.16)
【手続補正１】
【補正対象書類名】明細書
【補正対象項目名】発明の名称
【補正方法】変更
【補正の内容】
【発明の名称】駆動装置及び画像形成装置
【手続補正２】
【補正対象書類名】明細書
【補正対象項目名】特許請求の範囲
【補正方法】変更
【補正の内容】
【特許請求の範囲】
【請求項１】
複数の行配線及び複数の列配線によりマトリクス配線された複数の電子放出素子を駆動する駆動装置であって、
選択する行配線に対して選択電圧を印加すると共に、選択しない行配線に対して非選択電圧を印加する行配線駆動部と、
列配線に対して駆動電圧を印加する列配線駆動部と、
前記選択電圧を印加するタイミングを決めるための走査タイミング信号を前記行配線駆動部に与えると共に、前記駆動電圧を印加するタイミングを決めるための駆動タイミング信号を前記列配線駆動部に与えるタイミング発生部と、を備え、
前記タイミング発生部は、前記選択電圧のパルスの立ち上がり及び立下り時に前記列配線駆動部が前記駆動電圧を列配線に印加することを所定期間抑える駆動禁止パルスを生成し、前記列配線駆動部に出力することを特徴とする駆動装置。
【請求項２】
複数の行配線及び複数の列配線によりマトリクス配線された複数の電子放出素子を駆動する駆動装置であって、
選択する行配線に対して選択電圧を印加すると共に、選択しない行配線に対して非選択電圧を印加する行配線駆動部と、
列配線に対して駆動電圧を印加する列配線駆動部と、
前記選択電圧を印加するタイミングを決めるための走査タイミング信号を前記行配線駆動部に与えると共に、前記駆動電圧を印加するタイミングを決めるための駆動タイミング信号を前記列配線駆動部に与えるタイミング発生部と、を備え、
前記タイミング発生部は、前記列配線駆動部から前記駆動電圧が印加される期間に前記行配線駆動部が前記選択電圧を印加する行配線を切り替えることを禁止する走査禁止パルスを生成し、前記行配線駆動部に出力することを特徴とする駆動装置。
【請求項３】
前記タイミング発生部は、さらに、
前記列配線駆動部から前記駆動電圧が印加される期間に前記行配線駆動部が前記選択電圧を印加する行配線を切り替えることを禁止する走査禁止パルスを生成し、前記行配線駆動部に出力することを特徴とする請求項１に記載の駆動装置。
【請求項４】
前記列配線駆動部は、前記駆動電圧の電位を供給する第１電圧源と、前記駆動電圧の電位よりも低い電位又は接地電位を供給する第２電圧源と、前記第１電圧源と前記第２電圧源を切り替えるスイッチ手段と、を備え、
前記駆動禁止パルスに基づき前記スイッチ手段を制御することにより、前記所定期間のあいだ前記第２電圧源に切り替えることを特徴とする請求項１又は３に記載の駆動装置。
【請求項５】
前記駆動禁止パルスが指定する前記所定期間である駆動禁止期間は、１００ｎｓ以上かつ１行走査期間の２５％以内の時間幅であることを特徴とする請求項１、３、又は４に記載の駆動装置。
【請求項６】
前記行配線駆動部は、
各行配線毎に備えられ、前記行配線に対して前記選択電圧を印加するか前記非選択電圧を印加するかを切替えるスイッチ手段と、
前記各行配線毎のスイッチ手段に切替え信号を出力するためのシフトレジスタ手段と、
前記走査タイミング信号と前記走査禁止パルスとの論理積を行うゲート手段と、を備え、
前記走査禁止パルスは、前記選択電圧を印加する行配線を切り替えることを許可する期間はハイレベルになる信号であり、
前記ゲート手段の出力を前記シフトレジスタ手段のクロック信号として与えることを特徴とする請求項２又は３に記載の駆動装置。
【請求項７】
基板上にマトリクス状に配置された複数の電子放出素子と、
該複数の電子放出素子をマトリクス配線する複数の行配線及び列配線と、
前記複数の電子放出素子からの電子線照射を受け発光する発光面と、
前記複数の電子放出素子を駆動する駆動装置と、を備え、
前記駆動装置が、請求項１〜６のうちいずれか１項に記載の駆動装置であることを特徴とする画像表示装置。
【請求項８】
前記電子放出素子は、表面伝導型素子であることを特徴とする請求項７に記載の画像表示装置。
【手続補正３】
【補正対象書類名】明細書
【補正対象項目名】００１０
【補正方法】変更
【補正の内容】
【００１０】
【課題を解決するための手段】
上記目的を達成するために本発明の駆動装置にあっては、複数の行配線及び複数の列配線によりマトリクス配線された複数の電子放出素子を駆動する駆動装置であって、選択する行配線に対して選択電圧を印加すると共に、選択しない行配線に対して非選択電圧を印加する行配線駆動部と、列配線に対して駆動電圧を印加する列配線駆動部と、前記選択電圧を印加するタイミングを決めるための走査タイミング信号を前記行配線駆動部に与えると共に、前記駆動電圧を印加するタイミングを決めるための駆動タイミング信号を前記列配線駆動部に与えるタイミング発生部と、を備え、前記タイミング発生部は、前記選択電圧のパルスの立ち上がり及び立下り時に前記列配線駆動部が前記駆動電圧を列配線に印加
することを所定期間抑える駆動禁止パルスを生成し、前記列配線駆動部に出力することを特徴とする。
【手続補正４】
【補正対象書類名】明細書
【補正対象項目名】００１１
【補正方法】変更
【補正の内容】
【００１１】
また、本発明の駆動装置にあっては、複数の行配線及び複数の列配線によりマトリクス配線された複数の電子放出素子を駆動する駆動装置であって、選択する行配線に対して選択電圧を印加すると共に、選択しない行配線に対して非選択電圧を印加する行配線駆動部と、列配線に対して駆動電圧を印加する列配線駆動部と、前記選択電圧を印加するタイミングを決めるための走査タイミング信号を前記行配線駆動部に与えると共に、前記駆動電圧を印加するタイミングを決めるための駆動タイミング信号を前記列配線駆動部に与えるタイミング発生部と、を備え、前記タイミング発生部は、前記列配線駆動部から前記駆動電圧が印加される期間に前記行配線駆動部が前記選択電圧を印加する行配線を切り替えることを禁止する走査禁止パルスを生成し、前記行配線駆動部に出力することを特徴とする。
【手続補正５】
【補正対象書類名】明細書
【補正対象項目名】００１２
【補正方法】変更
【補正の内容】
【００１２】
本発明の画像形成装置にあっては、基板上にマトリクス状に配置された複数の電子放出素子と、該複数の電子放出素子をマトリクス配線する複数の行配線及び列配線と、前記複数の電子放出素子からの電子線照射を受け発光する発光面と、前記複数の電子放出素子を駆動する駆動装置と、を備え、その駆動装置が、上記したいずれかの駆動装置であることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】